(57)【特許請求の範囲】
【請求項１】
長手方向寸法が大であるワークをその長手方向が水平面と交差するように支持可能かつ水平方向移動可能に形成したテーブルと、このテーブルと交差する方向にワイヤ電極を支持走行可能に形成したワイヤ電極支持走行手段とを有し、ワークとワイヤ電極との間の放電によりワークの長手方向に沿う加工を行うように構成したワイヤ放電加工装置において、
ワークの長手方向中央部と高周波パルス電源とを電気的に接続したことを特徴とするワイヤ放電加工装置。
【発明の詳細な説明】
【０００１】
【発明の属する技術分野】
本発明は、放電電圧を印加したワイヤ電極を長手方向に走行させ、加工液を噴射させながらワイヤ電極とワークとの間に放電を発生させることにより、ワークの加工を行うワイヤ放電加工装置に関するものであり、特に長手方向寸法が大であるワークに長手方向に沿う加工を行うのに好適なワイヤ放電加工装置に関するものである。
【０００２】
【従来の技術】
一般にワイヤ放電加工装置は、放電部分に対して加工液を使用して放電電圧を印加したワイヤ電極を走行させ、このワイヤ電極とワークとの間に放電を発生させることにより、例えばワークの切断加工を行うように構成されている。
【０００３】
図２は従来のワイヤ放電加工装置の例を示す要部構成説明図である。図２において、ベッド１上には水平面内において直交する方向に摺動自在に形成したテーブル２を設け、例えば数値制御で駆動可能なＸ−Ｙテーブルを構成している。ベッド１上の一端には、逆Ｌ字形に形成したコラム３が、その桁部３ａを前記テーブル２の上面に臨むように立設されている。
【０００４】
次に４は支持部材であり、略Ｕ字形に形成されてテーブル２上に設けられ、この支持部材４上にワーク５を直接若しくは取付金具（図示せず）を介して載置固定される。ワイヤ電極６はコラム３の桁部３ａと、コラム３に固着されたアーム７とに各々設けられた上部ガイド８および下部ガイド９との間に張設され、ワイヤ電極６に放電電圧を印加して、矢印方向に走行させることにより、ワーク５を放電加工することができるのである。
【０００５】
上記のワイヤ放電加工装置により、例えば小断面積長尺状の棒状のワークに長手方向の溝加工若しくは切断加工を施す場合には、図４に示すようなワークの支持装置を使用するのが一般的である。図４において、支持装置１０は、テーブル２上の支持部材４に例えばボルト１１およびナット１２によって取り付けられる。そしてこの支持装置１０によって棒状のワーク５の下端部を挟着支持するのである。そして支持部材４に端子１３を介して（＋）側のリード線１４を接続すると共に、上部ガイド８および下部ガイド９に各々設けられた通電ブロック１５，１６に（−）側のリード線１７，１８を接続し、ワイヤ電極６とワーク５との間に所定の放電電圧を印加して、放電加工を行うのである。
【０００６】
【発明が解決しようとする課題】
しかしながら、上記図４に示すようなワークの支持装置１０によって棒状のワーク５を放電加工する場合には、ワーク５の上部と下部とにおけるピーク電流値が大きく相違し、加工精度が低下すると共に、加工速度もまた低下するという問題点がある。
【０００７】
図４において、リード線１７，１８を流れるピーク電流を各々Ｉup、Ｉdwとすると、リード線１４を流れるピーク電流はＩup＋Ｉdwとなり、Ｉup＜Ｉdwとなる。すなわち支持装置１０から上方のワーク５の電流経路が長いため、インピーダンスが大となり、Ｉdwと比較してＩupは著しく小なる値となってしまう。
【０００８】
この結果、ワーク５の上部においてはピーク電流が小さくなるため、加工速度が低下すると共に、加工ギャップも小となる。一方ワーク５の下部（支持装置１０の近傍またはその下方）においては、ピーク電流が大であるため、加工速度が向上すると共に、加工ギャップが大となる。従ってワーク５の上部と下部との放電加工バランスがとれず、所定の加工精度が得られないのみならず、加工能率が低下するという問題点がある。
【０００９】
図３はパルス幅とピーク電流との関係を示す図であり、図３（ｂ）が上記ピーク電流Ｉup、Ｉdwの関係を示している。
一方近年においては、上記ピーク電流は益々増大する傾向にあり、このような大なるピーク電流を図４に示すワイヤ電極６およびワーク５に通電するのみならず、加工部分に減衰することなく通電するのが肝要である。しかしながら、図４に示すような従来のものにおいては、ワーク５の上部と下部とにおいてピーク電流の値が大幅に相違することとなり、加工速度、加工ギャップもまた大幅に相違し、前記のような問題点がクローズアップされるのである。
【００１０】
本発明は上記従来技術に存在する問題点を解決し、ワークにワイヤ電極の走行方向に沿って大寸法の加工を行うのに好適なワイヤ放電加工装置を提供することを課題とする。
【００１１】
【課題を解決するための手段】
上記の課題を解決するために、本発明においては、長手方向寸法が大であるワークをその長手方向が水平面と交差するように支持可能かつ水平方向移動可能に形成したテーブルと、このテーブルと交差する方向にワイヤ電極を支持走行可能に形成したワイヤ電極支持走行手段とを有し、ワークとワイヤ電極との間の放電によりワークの長手方向に沿う加工を行うように構成したワイヤ放電加工装置において、
ワークの長手方向中央部と高周波パルス電源とを電気的に接続する、という技術的手段を採用した。
【００１２】
上記の構成により、ワイヤ電極の走行方向の寸法が大であるワークの上下におけるピーク電流の差を大幅に減少させ、高精度、高能率の放電加工を行うことができるのである。
【００１３】
【実施例】
図１は本発明の実施例におけるワークの支持装置を示す要部説明図であり、同一部分は前記図４と同一の参照符号で示す。図１において、支持装置１０は例えば鋼材のような導電性金属材料により、ワーク５の長手方向の略中央部を挟着支持し得るように立上り部１９を設けて構成し、絶縁板２０を介して支持部材４上に取り付けられる。そして支持装置１０には端子１３を介して（＋）側のリード線１４を接続する。その他の構成は前記図４に示すものと同様である。
【００１４】
上記の構成により、ワーク５の上部と下部とにおけるピーク電流の値を略同一の値とすることができ、加工速度および加工ギャップもまた均等にすることができ、全体として放電加工のバランスを保持し得る結果、高精度、高能率の放電加工を行うことができる。
【００１５】
図３はパルス幅とピーク電流との関係を示す図であり、（ａ）、（ｂ）は各々本発明のものおよび従来のものを示す。図３（ａ）から明らかなように、前記図１におけるリード線１７，１８を流れるピーク電流Ｉup、Ｉdwは略同一となる。すなわち図３に示されるように、支持装置１０からリード線１７，１８に至るワーク５の電流経路が略同一となり、従ってインピーダンスもまた略同一となるのである。結局図３（ｂ）におけるＩup＜Ｉdwの関係が、Ｉup≒Ｉdwのように大幅に改善されるのである。
【００１６】
本実施例においては、導電性金属材料によって支持装置１０を構成した例を示したが、これに限らず他の構成材料によってもよく、また端子１３をワーク５に直接接続してもよい。更にリード線１４とリード線１７，１８の極性を逆にしても作用は同一である。なお本発明の加工対象であるワーク５は無垢のもののみでなく、中空状のものであっても、また軸線が複数の直線若しくは曲線状のものであってもよい。更に小断面積長尺状のものに限らず、ブロック状のものであり、かつワイヤ電極の走行方向の寸法が大であるものについても加工対象とし得る。
【００１７】
【発明の効果】
本発明は、以上記述のような構成および作用であるから、ワークにワイヤ電極の走行方向に沿って大寸法に亘るワイヤ放電加工を行う場合において、ワークの加工部位におけるピーク電流の差を大幅に減少させ得るため、高精度、高能率の放電加工を行うことができるという効果がある。
【図面の簡単な説明】
【図１】本発明の実施例におけるワークの支持装置を示す要部説明図である。
【図２】従来のワイヤ放電加工装置の例を示す要部構成説明図である。
【図３】パルス幅とピーク電流との関係を示す図であり、（ａ），（ｂ）は各々本発明のものおよび従来のものを示す。
【図４】従来の放電加工装置におけるワークの支持装置を示す要部説明図である。
【符号の説明】
５  ワーク
６  ワイヤ電極
１０  支持装置
【図１】
0003676485.tif 000002
【図２】
0003676485.tif 000003
【図３】
0003676485.tif 000004
【図４】
0003676485.tif 000005